(57)【要約】【課題】ユーザの操作性を向上させることが可能な操作装置、照明システム及びプログラムを提供する。【解決手段】操作装置１００は、表示部３と、検出部４と、判定部５とを備える。判定部５は、検出部４により位置が検出されたとき、第１レイヤにおける上記位置が第１画像データの表示領域内であるか否かを判定する。判定部５は、第１レイヤにおける上記位置が第１画像データの表示領域内である場合に、第１画像データが選択されていると判定する。判定部５は、第１レイヤにおける上記位置が第１画像データの表示領域内でない場合に、第２レイヤにおける上記位置が第２画像データの表示領域内であるか否かを判定する。判定部５は、第２レイヤにおける上記位置が第２画像データの表示領域内である場合に、第２画像データが選択されていると判定する。【選択図】図１
2017157162.tif 000002
【特許請求の範囲】
【請求項１】
第１画像データを含む第１レイヤと第２画像データを含む第２レイヤを１つの画面に重ねて表示する表示部と、ユーザにより指定された前記画面上の位置を検出する検出部と、前記第１画像データ及び前記第２画像データのどちらが選択されているかを判定する判定部とを備え、
前記第１レイヤは、前記第２レイヤ上に配置され、
前記判定部は、前記検出部により前記位置が検出されたとき、前記第１レイヤにおける前記位置が前記第１画像データの表示領域内であるか否かを判定し、
前記判定部は、前記第１レイヤにおける前記位置が前記第１画像データの前記表示領域内である場合に、前記第１画像データが選択されていると判定し、前記第１レイヤにおける前記位置が前記第１画像データの前記表示領域内でない場合に、前記第２レイヤにおける前記位置が前記第２画像データの表示領域内であるか否かを判定し、
前記判定部は、前記第２レイヤにおける前記位置が前記第２画像データの前記表示領域内である場合に、前記第２画像データが選択されていると判定する
ことを特徴とする操作装置。
【請求項２】
前記第１画像データ及び前記第２画像データの各々は、電気機器を示す１又は複数のシンボルを取り囲む領域である第１領域と前記第１領域外である第２領域との少なくとも一方を有する画像データであって、前記第１領域が不透明な複数の画素データで構成され、前記第２領域が透明な複数の画素データで構成され、
前記判定部は、前記第１レイヤにおける前記位置の前記第１画像データの前記画素データが不透明である場合に、前記第１レイヤにおける前記位置が前記第１画像データの前記表示領域内であると判定し、前記第１レイヤにおける前記位置の前記第１画像データの前記画素データが透明である場合に、前記第１レイヤにおける前記位置が前記第１画像データの前記表示領域内でないと判定し、
前記判定部は、前記第２レイヤにおける前記位置の前記第２画像データの前記画素データが不透明である場合に、前記第２レイヤにおける前記位置が前記第２画像データの前記表示領域内であると判定する
ことを特徴とする請求項１記載の操作装置。
【請求項３】
請求項１又は請求項２記載の前記操作装置と、複数台の照明器具と、前記操作装置における前記判定部の判定結果を受け取り、かつ、受け取った前記判定結果に従って前記複数台の照明器具を制御する制御装置とを備えている
ことを特徴とする照明システム。
【請求項４】
請求項１又は請求項２記載の前記操作装置の前記判定部を構成するコンピュータに、
前記第１レイヤにおける前記位置が前記第１画像データの前記表示領域内であるか否かを判定させる第１処理と、前記第１レイヤにおける前記位置が前記第１画像データの前記表示領域内である場合に前記第１画像データが選択されていると判定させる第２処理と、前記第１レイヤにおける前記位置が前記第１画像データの前記表示領域内でない場合に前記第２レイヤにおける前記位置が前記第２画像データの前記表示領域内であるか否かを判定させる第３処理と、前記第２レイヤにおける前記位置が前記第２画像データの前記表示領域内である場合に前記第２画像データが選択されていると判定させる第４処理とを実行させるように構成されている
ことを特徴とするプログラム。
【発明の詳細な説明】
【技術分野】
【０００１】
本発明は、一般に、操作装置、照明システム及びプログラムに関し、より詳細には、対象機器を操作する操作装置、操作装置を備えた照明システム、及び操作装置に搭載されるプログラムに関する。
【背景技術】
【０００２】
従来、複数の表示オブジェクト（例えば、アイコン、ボタン等の画像データ）が重畳もしくは密接に表示された画面であっても、ユーザが誤って操作することなく操作対象の表示オブジェクトを操作可能なタッチスクリーン装置が提案されている（特許文献１参照）。
【０００３】
特許文献１記載のタッチスクリーン装置では、複数の表示オブジェクトが、それぞれ複数のレイヤに区分して配置されている。このタッチスクリーン装置では、ユーザがタッチ操作する指の接触点数に従ってレイヤが切り替わり、操作対象の表示オブジェクトを操作することが可能になる。例えば、指の接触点数が１つの場合（１本の指での操作の場合）は、上位のレイヤに配置された表示オブジェクトの操作が可能となり、指の接触点数が２つの場合（２本の指での操作の場合）は、下位のレイヤに配置された表示オブジェクトの操作が可能になる。
【先行技術文献】
【特許文献】
【０００４】
【特許文献１】特開２０１２−２４７８６１号公報
【発明の概要】
【発明が解決しようとする課題】
【０００５】
しかしながら、特許文献１記載のタッチスクリーン装置では、操作対象の表示オブジェクトが配置されたレイヤを選択するために、ユーザは、各レイヤに割り当てられた指の本数を把握しておく必要がある。そのため、特許文献１記載のタッチスクリーン装置では、ユーザの操作性を向上させることが難しい。
【０００６】
本発明は、上述の事由に鑑みてなされ、本発明の目的は、ユーザの操作性を向上させることが可能な操作装置、照明システム及びプログラムを提供することである。
【課題を解決するための手段】
【０００７】
本発明の一態様に係る操作装置は、表示部と、検出部と、判定部とを備えている。前記表示部は、第１画像データを含む第１レイヤと第２画像データを含む第２レイヤを１つの画面に重ねて表示するように構成されている。前記検出部は、ユーザにより指定された前記画面上の位置を検出するように構成されている。前記判定部は、前記第１画像データ及び前記第２画像データのどちらが選択されているかを判定するように構成されている。前記第１レイヤは、前記第２レイヤ上に配置されている。前記判定部は、前記検出部により前記位置が検出されたとき、前記第１レイヤにおける前記位置が前記第１画像データの表示領域内であるか否かを判定する。前記判定部は、前記第１レイヤにおける前記位置が前記第１画像データの前記表示領域内である場合に、前記第１画像データが選択されていると判定する。前記判定部は、前記第１レイヤにおける前記位置が前記第１画像データの前記表示領域内でない場合に、前記第２レイヤにおける前記位置が前記第２画像データの表示領域内であるか否かを判定する。前記判定部は、前記第２レイヤにおける前記位置が前記第２画像データの前記表示領域内である場合に、前記第２画像データが選択されていると判定する。
【０００８】
本発明の一態様に係る照明システムは、前記操作装置と、複数台の照明器具と、前記操作装置における前記判定部の判定結果を受け取り、かつ、受け取った前記判定結果に従って前記複数台の照明器具を制御する制御装置とを備えている。
【０００９】
本発明の一態様に係るプログラムは、前記操作装置の前記判定部を構成するコンピュータに、第１処理と、第２処理と、第３処理と、第４処理とを実行させるように構成されている。前記第１処理は、前記第１レイヤにおける前記位置が前記第１画像データの前記表示領域内であるか否かを判定させる処理である。前記第２処理は、前記第１レイヤにおける前記位置が前記第１画像データの前記表示領域内である場合に、前記第１画像データが選択されていると判定させる処理である。前記第３処理は、前記第１レイヤにおける前記位置が前記第１画像データの前記表示領域内でない場合に、前記第２レイヤにおける前記位置が前記第２画像データの前記表示領域内であるか否かを判定させる処理である。前記第４処理は、前記第２レイヤにおける前記位置が前記第２画像データの前記表示領域内である場合に、前記第２画像データが選択されていると判定させる処理である。
【発明の効果】
【００１０】
本発明の操作装置では、ユーザの操作性を向上させることが可能になる。
【００１１】
本発明の照明システムでは、ユーザの操作性を向上させることが可能な操作装置を備えた照明システムを提供することができる。
【００１２】
本発明のプログラムでは、ユーザの操作性を向上させることが可能な操作装置を実現するプログラムを提供することができる。
【図面の簡単な説明】
【００１３】
【図１】図１は、本発明の一実施形態に係る操作装置の構成図である。
【図２】図２は、同上の操作装置を備えた照明システムの構成図である。
【図３】図３Ａは、同上の操作装置の使用例に関し、ユーザが画像データを選択する前の状態を示す説明図である。図３Ｂは、同上の操作装置の使用例に関し、ユーザが画像データを選択した後の状態を示す説明図である。
【図４】図４Ａは、同上の操作装置に関し、第１レイヤに配置された第１画像データの位置を示す説明図である。図４Ｂは、同上の操作装置に関し、第２レイヤに配置された第２画像データの位置を示す説明図である。図４Ｃは、同上の操作装置に関し、第１画像データと第２画像データの位置関係を示す説明図である。図４Ｄは、同上の操作装置に関し、第１レイヤと第２レイヤの位置関係を示す説明図である。
【図５】図５は、同上の操作装置の判定部の動作を示すフローチャートである。
【発明を実施するための形態】
【００１４】
以下、本実施形態の操作装置１００について、図１〜図５を参照しながら説明する。なお、以下では、説明の便宜上、操作装置１００を備えた照明システム５００（図２参照）を説明した後に、操作装置１００について詳細に説明する。
【００１５】
照明システム５００は、図２に示すように、操作装置１００と、複数台の照明器具２００と、通信装置３１０と、制御装置３２０と、スイッチ装置４００とを備えている。照明システム５００は、例えば、オフィス又は店舗に用いられる。
【００１６】
操作装置１００は、複数台の照明器具２００を操作するように構成されている。言い換えれば、操作装置１００は、複数台の照明器具２００の点灯状態を変更するように構成されている。
【００１７】
通信装置３１０は、操作装置１００との間で無線通信を行うように構成されている。具体的には、通信装置３１０は、操作装置１００から送信される操作信号（第１操作信号）を受信する。この場合、通信装置３１０は、例えば、赤外線又は電波を媒体とする無線通信を利用して第１操作信号を受信する。第１操作信号は、複数台の照明器具２００の点灯状態を変更するための信号である。又、通信装置３１０は、第１操作信号を制御装置３２０へ出力するように構成されている。
【００１８】
制御装置３２０は、通信装置３１０からの第１操作信号に従って、複数台の照明器具２００を制御するように構成されている。要するに、制御装置３２０は、操作装置１００からの指示に従って、複数台の照明器具２００を制御する。又、制御装置３２０は、スイッチ装置４００からの２操作信号に従って、複数台の照明器具２００を制御するように構成されている。第２操作信号は、複数台の照明器具２００の点灯状態を変更するための信号である。
【００１９】
スイッチ装置４００は、複数台の照明器具２００の点灯状態を変更するように構成されている。スイッチ装置４００は、例えば、壁スイッチである。
【００２０】
複数台の照明器具２００の各々は、オフィス又は店舗の天井に設置される。複数台の照明器具２００の各々は、調光機能及び調色機能を有している。複数台の照明器具２００の各々は、制御装置３２０の制御に従って点灯状態を変更する。
【００２１】
操作装置１００は、操作装置１００を動作させるモードとして、複数台の照明器具２００を操作する操作モードと、操作装置１００の設定を行う設定モードとを有している。設定モードでは、例えば、組織変更や人員の増減による屋内のレイアウト変更に伴って複数台の照明器具２００の操作範囲（制御範囲）を変更する場合、所定台数の照明器具２００を１つのグループとしてグループ化することができる。すなわち、設定モードでは、複数台の照明器具２００の操作範囲を適宜変更することができる。
【００２２】
操作装置１００は、例えば、タッチパネル２０を有するタブレット端末であることが好ましい。操作装置１００は、図１に示すように、制御部１と、通信部２と、表示部３と、検出部４とを備えている。本実施形態では、表示部３と検出部４とで、タッチパネル２０を構成している。
【００２３】
制御部１は、通信部２及び表示部３を制御するように構成されている。制御部１は、例えば、マイクロコンピュータである。制御部１は、判定部５と、記憶部６と、算出部７と、指示部１３とを備えている。記憶部６には、マイクロコンピュータを制御部１として機能させるためのプログラムが記憶されている。プログラムは、記憶部６に予め記録されていてもよいし、記録媒体（例えば、メモリカード）に記録されて提供されたり、コンピュータネットワーク（例えば、インターネット）を通して提供されたりしてもよい。指示部１３は、所定台数の照明器具２００に対する指示を行うように構成されている。詳細には、指示部１３は、判定部５の判定結果に従って、所定台数の照明器具２００の点灯状態を変更するための指示を行う。本実施形態では、指示部１３は、判定部５の判定結果に対応する第１操作信号を出力する。なお、判定部５及び算出部７については、後述する。
【００２４】
通信部２は、制御部１の制御に従って、通信装置３１０（図２参照）との間で無線通信を行うように構成されている。具体的には、通信部２は、指示部１３から出力される第１操作信号を通信装置３１０へ送信する。この場合、通信部２は、例えば、赤外線又は電波を媒体とする無線通信を利用して第１操作信号を通信装置３１０へ送信する。
【００２５】
表示部３は、制御部１の制御に従って、複数の画像データ９（図３Ａ及び図３Ｂ参照）を１つの画面８に表示するように構成されている。本実施形態では、表示部３は、複数の画像データ９をそれぞれ複数のレイヤ１０（図４Ａ〜図４Ｄ参照）に区分して、複数のレイヤ１０を１つの画面８に重ねて表示する。表示部３は、例えば、液晶ディスプレイである。
【００２６】
複数の画像データ９は、図３Ａ及び図３Ｂに示すように、第１画像データ９１と、第２画像データ９２と、第３画像データ９３と、第４画像データ９４と、第５画像データ９５と、第６画像データ９６と、複数（例えば、２４個）の第７画像データ９７とを含む。なお、図３Ａでは、ユーザによって第３画像データ９３及び第５画像データ９５が予め選択された状態を表している。又、図３Ｂでは、ユーザによって第１画像データ９１、第３画像データ９３及び第５画像データ９５が選択された状態を表している。図３Ａ及び図３Ｂでは、画像データ９が選択された状態を網がけで表している。
【００２７】
以下、第１〜第７画像データ９１〜９７について説明する。なお、以下の説明では、第３画像データ９３と、第４画像データ９４と、第５画像データ９５と、第６画像データ９６について、操作ボタンを画像化して構成した例について説明する。これらの操作ボタンに関しては、画像データを使用せず、従来からのＧＵＩ（Graphical User Interface）部品としてのボタンを利用し、その押下状態に応じた処理が反映されるように構成しても構わない。
【００２８】
第１画像データ９１及び第２画像データ９２の各々は、ユーザによってグループ化された所定台数（図３Ａ及び図３Ｂでは、１２台）の照明器具２００を操作するためのボタン（操作ボタン）である。なお、以下では、説明の便宜上、第１画像データ９１に対応するグループ化された所定台数の照明器具２００を「第１照明器具群」と称し、第２画像データ９２に対応するグループ化された所定台数の照明器具２００を「第２照明器具群」と称する。
【００２９】
第３画像データ９３は、操作対象（例えば、第１照明器具群等）の照明器具２００を点灯及び消灯させる操作を行うためのボタンである。例えば、ユーザは、第３画像データ９３を選択した後に第１画像データ９１を選択することによって、第１照明器具群を一括で点灯及び消灯させることが可能になる。
【００３０】
第４画像データ９４は、操作対象の照明器具２００を調光及び調色させる操作を行うためのボタンである。例えば、ユーザは、第４画像データ９４を選択した後に第１画像データ９１を選択することによって、第１照明器具群を一括で調光及び調色させることが可能になる。この場合、操作装置１００では、表示部３の画面８に、第１照明器具群を一括で調光及び調色させるためのパネル（操作パネル）が、別途表示される。
【００３１】
第５画像データ９５は、第１照明器具群及び第２照明器具群を一括で操作を行うためのボタンである。第６画像データ９６は、複数台の照明器具２００を個別で操作を行うためのボタンである。複数の第７画像データ９７の各々は、照明器具２００を模式的に表しており、照明器具２００の操作を行うためのボタンである。なお、本実施形態では、第７画像データ９７が、電気機器（照明器具２００）を示すシンボルに相当する。
【００３２】
ここで、第１画像データ９１は、図４Ａに示すように、複数の第７画像データ９７を取り囲む２つの領域（表示領域）Ｈ１と、表示領域Ｈ１外である非表示領域Ｈ３とを有する画像データである。表示領域Ｈ１は、不透明な複数の画素データで構成されている。非表示領域Ｈ３は、透明な複数の画像データで構成されている。第２画像データ９２は、図４Ｂに示すように、複数の第７画像データ９７を取り囲む領域（表示領域Ｈ２）のみを有する画像データである。表示領域Ｈ２は、不透明な複数の画素データで構成されている。なお、第１画像データ９１の表示領域Ｈ１とは、図４Ａに示すように、第１画像データ９１において、複数の第７画像データ９７が存在する領域を意味する。第１画像データ９１の非表示領域Ｈ３とは、第１画像データ９１において、複数の第７画像データ９７が存在しない領域を意味する。第２画像データ９２の表示領域Ｈ２とは、図４Ｂに示すように、第２画像データ９２において、複数の第７画像データ９７が存在する領域を意味する。透明な画素データとは、物理的に透明であるわけではなく、例えば、その画素データの透過度が１００％に近い画素データであり、実際、下位のレイヤに不透明な画素データが存在する場合は、透明な画素データに、下位のレイヤにある不透明な画素データが投影されることを意味する。本実施形態では、表示領域Ｈ１及び表示領域Ｈ３が第１領域に相当し、非表示領域Ｈ３が第２領域に相当する。
【００３３】
複数のレイヤ１０は、図４Ａ〜図４Ｄに示すように、第１レイヤ１１と、第２レイヤ１２とを含む。又、複数のレイヤ１０は、第３レイヤと、第４レイヤと、第５レイヤと、第６レイヤと、第７レイヤと、第８レイヤとを含む。第１レイヤ１１は、図４Ｄに示すように、第２レイヤ１２上に配置されている。第２レイヤ１２は、第３レイヤ上に配置されている。第３レイヤは、第４レイヤ上に配置されている。第４レイヤは、第５レイヤ上に配置されている。第５レイヤは、第６レイヤ上に配置されている。第６レイヤは、第７レイヤ上に配置されている。第７レイヤは、第８レイヤ上に配置されている。すなわち、第１レイヤ１１が最上位のレイヤである。
【００３４】
第１レイヤ１１、第２レイヤ１２、第３レイヤ、第４レイヤ、第５レイヤ及び第６レイヤには、それぞれ第１画像データ９１、第２画像データ９２、第３画像データ９３、第４画像データ９４、第５画像データ９５及び第６画像データ９６が含まれる。第７レイヤには、複数の第７画像データ９７が含まれる。第８レイヤには、オフィス又は店舗のレイアウト図が含まれる。本実施形態では、複数の第７画像データ９７は、第８レイヤのレイアウト図において複数台の照明器具２００が設置された位置とそれぞれ重なる位置に配置される。又、本実施形態では、表示部３の画面８には、例えば、第１レイヤ１１における第１画像データ９１が存在しない領域に、第２レイヤ１２における第２画像データ９２が表示される。
【００３５】
検出部４は、ユーザにより指定された画面８上の位置（指定位置）を検出するように構成されている。ユーザにより指定された画面８上の位置とは、例えば、図３Ａに示すように、ユーザの指（人差し指）が画面８に触れた（タッチした）位置を意味する。検出部４は、指定位置を検出するとき、この指定位置の情報（位置情報）を制御部１へ伝達する。位置情報は、例えば、画面８上のＸ座標及びＹ座標である。
【００３６】
判定部５は、検出部４からの位置情報に基づいて、複数の画像データ９のうちどの画像データ９が選択されているか否かを判定するように構成されている。以下、判定部５の動作（判定動作）について、図５のフローチャートを参照して説明する。
【００３７】
判定部５は、検出部４により指定位置が検出されたとき（図５中のＳ１）、第１レイヤ１１における指定位置が第１画像データ９１の表示領域Ｈ１内であるか否かを判定する（図５中のＳ２）。第１レイヤ１１における指定位置とは、第１レイヤ１１において、ユーザにより指定された表示部３の画面８上の指定位置と重なる位置を意味する。
【００３８】
判定部５は、第１レイヤ１１における指定位置が第１画像データ９１の表示領域Ｈ１内である場合（図５中のＳ２のＹｅｓ）、第１画像データ９１が選択されていると判定する（図５中のＳ３）。又、判定部５は、第１レイヤ１１における指定位置が第１画像データ９１の表示領域Ｈ１内でない場合（図５中のＳ２のＮｏ）、第２レイヤ１２における指定位置が第２画像データ９２の表示領域Ｈ２内であるか否かを判定する（図５中のＳ４）。第２レイヤ１２における指定位置は、第２レイヤ１２において、ユーザにより指定された表示部３の画面８上の指定位置と重なる位置を意味する。
【００３９】
判定部５は、第２レイヤ１２における指定位置が第２画像データ９２の表示領域Ｈ２内である場合（図５中のＳ４のＹｅｓ）、第２画像データ９２が選択されていると判定する（図５中のＳ５）。又、判定部５は、第２レイヤ１２における指定位置が第２画像データ９２の表示領域内でない場合（図５中のＳ４のＮｏ）、第３レイヤにおける指定位置が第３画像データ９３の表示領域内であるか否かを判定する（図５中のＳ４）。なお、第３レイヤにおける指定位置での判定は、第２レイヤ１２における指定位置での判定と同じであるため、説明を省略する。又、判定部５は、第３レイヤにおける指定位置での判定と同様に、第４レイヤ以降の指定位置での判定も行う。
【００４０】
本実施形態では、判定部５は、第１レイヤ１１における指定位置が第１画像データ９１の表示領域Ｈ１内であるか否かの判定を、第１レイヤ１１における指定位置の第１画像データ９１の画素データが透明であるか否かに基づいて判定している。例えば、判定部５は、第１レイヤ１１における指定位置の第１画像データ９１の画素データが不透明である場合に、第１レイヤ１１における指定位置が第１画像データ９１の表示領域Ｈ１内であると判定する。又、判定部５は、第１レイヤ１１における指定位置の第１画像データ９１の画素データが透明である場合に、第１レイヤ１１における指定位置が第１画像データ９１の表示領域Ｈ１内でないと判定する。
【００４１】
又、本実施形態では、判定部５は、第２レイヤ１２における指定位置が第２画像データ９２の表示領域Ｈ２内であるか否かの判定を、第２レイヤ１２における指定位置の第２画像データ９２の画素データが透明であるか否かに基づいて判定している。例えば、判定部５は、第２レイヤ１２における指定位置の第２画像データ９２の画素データが不透明である場合に、第２レイヤ１２における指定位置が第２画像データ９２の表示領域Ｈ２内であると判定する。又、判定部５は、第２レイヤ１２における指定位置の第２画像データ９２の画素データが透明である場合に、第２レイヤ１２における指定位置が第２画像データ９２の表示領域Ｈ２内でないと判定する。
【００４２】
制御部１は、判定部５の判定結果に基づいて、第１操作信号を通信部２へ出力するように構成されている。言い換えれば、制御部１は、判定部５の判定結果に基づいて、各画像データ９に割り当てられた処理を実行するように構成されている。例えば、図３Ａに示すように、第３画像データ９３及び第５画像データ９５が選択されている場合、制御部１は、判定部５により第１画像データ９１が選択されていると判定されたとき、第１照明器具群が消灯中であれば、第１照明器具群を点灯させる指示を含む第１操作信号を通信部２へ出力する。又この場合、制御部１は、判定部５により第１画像データ９１が選択されていると判定されたとき、第１照明器具群が点灯中であれば、第１照明器具群を消灯させる指令を含む第１操作信号を、通信部２へ出力する。通信部２は、制御部１からの第１操作信号を通信装置３１０へ送信する。制御装置３２０は、通信装置３１０で受信された第１操作信号に従って、第１照明器具群の点灯状態を変更する。これにより、操作装置１００では、第１照明器具群の点灯状態を変更することが可能になる。すなわち、ユーザは、操作装置１００を用いることで、複数台の照明器具２００の点灯状態を手元で変更することができる。
【００４３】
判定部５は、例えば、制御部１の主構成であるマイクロコンピュータにより上記プログラムを実行することで実現されてもよい。要するに、上記プログラムは、マイクロコンピュータを、判定部５として機能させる。上記プログラムは、第１処理と、第２処理と、第３処理と、第４処理とを有する。第１処理は、第１レイヤ１１における指定位置が、第１画像データ９１の表示領域Ｈ１内であるか否かを判定させる処理である。第２処理は、第１レイヤ１１における指定位置が第１画像データ９１の表示領域Ｈ１内である場合に、第１画像データ９１が選択されていると判定させる処理である。第３処理は、第１レイヤ１１における指定位置が第１画像データ９１の表示領域Ｈ１内でない場合に、第２レイヤ１２における指定位置が第２画像データ９２の表示領域Ｈ２内であるか否かを判定させる処理である。第４処理は、第２レイヤ１２における指定位置が第２画像データ９２の表示領域Ｈ２内である場合に、第２画像データ９２が選択されていると判定させる処理である。
【００４４】
算出部７は、ユーザによって選択された第１画像データ９１や第２画像データ９２に対応する所定台数の照明器具２００の電力使用量を算出するように構成されている。算出部７は、所定台数の照明器具２００の色温度や調光率に基づいて、所定台数の照明器具２００の電力使用量を算出する。
【００４５】
制御部１は、算出部７により算出された所定台数の照明器具２００の電力使用量を、表示部３の画面８に表示させるように構成されている。例えば、図３Ａ中の「電力使用量５０％」や図３Ｂ中の「電力使用量９０％」が、所定台数の照明器具２００の電力使用量に該当する。なお、本実施形態では、複数台の照明器具２００を全点灯させた場合の電力使用量を１００％としている。
【００４６】
操作装置１００は、ユーザが操作対象の照明器具２００の操作を行うとき、この照明器具２００の電力使用量を表示部３の画面８に表示する。これにより、操作装置１００では、ユーザが操作対象の照明器具２００の点灯状態を変更する際に、操作対象の照明器具２００の電力使用量を視覚化することが可能となる。
【００４７】
ところで、特許文献１記載のタッチスクリーン装置（以下、従来例の操作装置）では、表示オブジェクトを操作する場合、操作対象の表示オブジェクトが配置されたレイヤを選択する必要がある。そのため、ユーザは、各レイヤに割り当てられた指の本数を把握しておく必要がある。よって、従来例の操作装置では、ユーザの操作性を向上させることが難しい。
【００４８】
一方、操作装置１００では、図４Ａ~図４Ｄに示すように、第１画像データ９１が第１レイヤ１１に配置され第２画像データ９２が第２レイヤ１２に配置される場合、ユーザが画面８上で第２画像データ９２を選択したとき、第２画像データ９２に割り当てられた処理が実行される。すなわち、操作装置１００では、従来例の操作装置のように、操作対象の画像データ９が配置されたレイヤ１０を選択する必要がない。これにより、操作装置１００では、従来例の操作装置に比べて、ユーザの操作性を向上させることが可能になる。
【００４９】
以上説明したように、本実施形態の操作装置１００は、表示部３と、検出部４と、判定部５とを備えている。表示部３は、第１画像データ９１を含む第１レイヤ１１と第２画像データ９２を含む第２レイヤ１２を１つの画面８に重ねて表示するように構成されている。検出部４は、ユーザにより指定された画面８上の位置（指定位置）を検出するように構成されている。判定部５は、第１画像データ９１及び第２画像データ９２のどちらが選択されているかを判定するように構成されている。第１レイヤ１１は、第２レイヤ１２上に配置されている。判定部５は、検出部４により上記位置が検出されたとき、第１レイヤ１１における上記位置が第１画像データ９１の表示領域Ｈ１内であるか否かを判定する。判定部５は、第１レイヤ１１における上記位置が第１画像データ９１の表示領域Ｈ１内である場合に、第１画像データ９１が選択されていると判定する。判定部５は、第１レイヤ１１における上記位置が第１画像データ９１の表示領域Ｈ１内でない場合に、第２レイヤ１２における上記位置が第２画像データ９２の表示領域Ｈ２内であるか否かを判定する。判定部５は、第２レイヤ１２における上記位置が第２画像データ９２の表示領域Ｈ２内である場合に、第２画像データ９２が選択されていると判定する。
【００５０】
この構成によれば、操作装置１００では、例えばユーザが第２画像データ９２を選択する場合、従来例の操作装置のように第２レイヤ１２を事前に選択する必要がなく、判定部５は、検出部４の検出結果に基づいて第２画像データ９２が選択されていると判定できる。よって、操作装置１００では、従来例の操作装置に比べて、ユーザの操作性を向上させることが可能になる。
【００５１】
第１画像データ９１及び第２画像データ９２の各々は、電気機器（照明器具２００）を示す１又は複数のシンボル（第７画像データ９７）を取り囲む領域である第１領域と第１領域外である第２領域との少なくとも一方を有する画像データであることが好ましい。第１領域は、不透明な複数の画素データで構成されていることが好ましい。第２領域は、透明な複数の画素データで構成されていることが好ましい。判定部５は、第１レイヤ１１における上記位置の第１画像データ９１の画素データが不透明である場合に、第１レイヤ１１における上記位置が第１画像データ９１の表示領域Ｈ１内であると判定することが好ましい。又、判定部５は、第１レイヤ１１における上記位置の第１画像データ９１の画素データが透明である場合に、第１レイヤ１１における上記位置が第１画像データ９１の表示領域Ｈ１内でないと判定することが好ましい。さらに、判定部５は、第２レイヤ１２における上記位置の第２画像データ９２の画素データが不透明である場合に、第２レイヤ１２における上記位置が第２画像データ９２の表示領域Ｈ２内であると判定することが好ましい。
【００５２】
この構成であっても、操作装置１００では、例えばユーザが第２画像データ９２を選択する場合、従来例の操作装置のように第２レイヤ１２を事前に選択する必要がなく、判定部５は、検出部４の検出結果に基づいて第２画像データ９２が選択されていると判定できる。
【００５３】
本実施形態の照明システム５００は、操作装置１００と、複数台の照明器具２００と、操作装置１００における判定部５の判定結果を受け取り、かつ、受け取った判定結果に従って複数台の照明器具２００を制御する制御装置３２０とを備えている。
【００５４】
この構成によれば、照明システム５００では、ユーザの操作性を向上させることが可能な操作装置１００を備えた照明システムを提供することができる。
【００５５】
本実施形態のプログラムは、操作装置１００の判定部５を構成するコンピュータに、第１処理と、第２処理と、第３処理と、第４処理とを実行させるように構成されている。第１処理は、第１レイヤ１１における上記位置が第１画像データ９１の表示領域Ｈ１内であるか否かを判定させる処理である。第２処理は、第１レイヤ１１における上記位置が第１画像データ９１の表示領域Ｈ１内である場合に、第１画像データ９１が選択されていると判定させる処理である。第３処理は、第１レイヤ１１における上記位置が第１画像データ９１の表示領域Ｈ１内でない場合に、第２レイヤ１２における上記位置が第２画像データ９２の表示領域Ｈ２内であるか否かを判定させる処理である。第４処理は、第２レイヤ１２における上記位置が第２画像データ９２の表示領域Ｈ２内である場合に、第２画像データ９２が選択されていると判定させる処理である。
【００５６】
この構成によれば、ユーザの操作性を向上させることが可能な操作装置を実現するプログラムを提供することができる。
【００５７】
なお、本実施形態では、第１照明器具群又は第２照明器具群を一括で操作する場合について説明したが、操作装置１００は、複数台の照明器具２００を個別に操作することも可能である。
【００５８】
ユーザにより指定された画面８上の位置は、ユーザの指が画面８に触れた位置に限らず、例えば、ユーザが用いるタッチペンが画面８に触れた位置であってもよい。
【００５９】
操作装置１００は、タブレット端末に限らず、例えば、スマートフォン等であってもよい。又、操作装置１００は、例えば、パーソナルコンピュータ等であってもよい。この場合、ユーザにより指定された画面８上の位置は、パーソナルコンピュータの画面上に表示されるマウスポインタの位置に該当する。又、操作装置１００は、送信機能に加えて、受信機能を有していてもよい。
【００６０】
複数台の照明器具２００の各々は、受信機能に加えて、送信機能を有していてもよい。
【００６１】
電気機器は、照明器具２００に限らず、例えば、空調設備等であってもよい。
【符号の説明】
【００６２】
３  表示部
４  検出部
５  判定部
８  画面
１１  第１レイヤ
１２  第２レイヤ
９１  第１画像データ
９２  第２画像データ
９７  第７画像データ（シンボル）
１００  操作装置
２００  照明器具（電気機器）
３２０  制御装置
５００  照明システム
Ｈ１  表示領域（第１領域）
Ｈ２  表示領域（第１領域）
Ｈ３  非表示領域（第２領域）
【図１】
2017157162.tif 000003
【図２】
2017157162.tif 000004
【図３】
2017157162.tif 000005
【図４】
2017157162.tif 000006
【図５】
2017157162.tif 000007